(57)【特許請求の範囲】
【請求項１】
自通信端末の位置を放送対象地域として含む放送波に割り当てられたチャンネル識別情報を特定する特定手段と、
メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、
自通信端末の位置を計測する測位手段と、
自通信端末以外の前記通信端末の位置を表す位置情報を取得する位置取得手段と、
表示面を有する表示手段と、
前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段であって、前記測位手段により計測された位置と前記位置取得手段により取得された位置情報が表す位置との距離の大きさに応じて異なる表示態様で、前記選択領域、前記ユーザに固有の画像又は前記メッセージを表示させる第１表示制御手段と、
ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行う第２表示制御手段と
を備えることを特徴とする通信端末。
【請求項２】
自通信端末の位置を放送対象地域として含む放送波に割り当てられたチャンネル識別情報を特定する特定手段と、
メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、
表示面を有する表示手段と、
前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段と、
ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行い、当該操作の操作方法に応じて異なる表示態様で、前記選択領域、前記ユーザに固有の画像又は前記メッセージを表示させる第２表示制御手段と
を備えることを特徴とする通信端末。
【請求項３】
自通信端末の位置を放送対象地域として含む放送波に割り当てられたチャンネル識別情報を特定する特定手段と、
メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、
表示面を有する表示手段と、
前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段と、
前記取得手段により取得されたチャンネル識別情報が割り当てられた放送波で放送される番組に関連する情報をネットワーク経由で取得する情報取得手段と、
ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行う第２表示制御手段であって、前記取得手段により取得されたチャンネル識別情報が、前記特定手段により特定されたチャンネル識別情報と一致しない場合に、前記情報取得手段により取得された情報を前記番組に代えて前記表示手段又は前記表示装置に表示させるための処理を行う第２表示制御手段と
を備えることを特徴とする通信端末。
【請求項４】
前記第１表示制御手段は、前記取得手段により取得されたチャンネル識別情報に対応付けられている前記ユーザ識別情報の数又は前記メッセージの数に応じて異なる表示態様で、当該チャンネル識別情報に割り当てられた前記選択領域を前記表示面に表示させる
ことを特徴とする請求項１ないし３のいずれか１項に記載の通信端末。
【請求項５】
前記放送波を受信するアンテナを有し、
前記特定手段は、前記アンテナが閾値以上の受信強度で受信した放送波に割り当てられたチャンネル識別情報を特定する
ことを特徴とする請求項１ないし４のいずれか１項に記載の通信端末。
【請求項６】
請求項１ないし５のいずれか１項に記載の通信端末と、
前記ユーザ識別情報と、前記チャンネル識別情報と、前記メッセージとを対応付けて記憶する記憶手段と、前記チャンネル識別情報と、当該チャンネル識別情報に対応付けられている前記ユーザ識別情報及び前記メッセージとを前記通信端末に送信する送信手段とを備える記憶装置と
を具備し、
前記通信端末の取得手段は、前記記憶装置の送信手段から送信されてくる前記チャンネル識別情報、前記ユーザ識別情報及び前記メッセージを取得する
ことを特徴とする通信システム。
【請求項７】
表示面を有する表示手段と自通信端末の位置を計測する測位手段とを備えた通信端末であるコンピュータを、
自通信端末の位置を放送対象地域として含む放送波に割り当てられたチャンネル識別情報を特定する特定手段と、
メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、
自通信端末以外の前記通信端末の位置を表す位置情報を取得する位置取得手段と、
前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段であって、自通信端末の位置を計測する測位手段により計測された位置と前記位置取得手段により取得された位置情報が表す位置との距離の大きさに応じて異なる表示態様で、前記選択領域、前記ユーザに固有の画像又は前記メッセージを表示させる第１表示制御手段と、
ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行う第２表示制御手段
として機能させるためのプログラム。
【請求項８】
表示面を有する表示手段を備えた通信端末であるコンピュータを、
自通信端末の位置を放送対象地域として含む放送波に割り当てられたチャンネル識別情報を特定する特定手段と、
メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、
前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段と、
ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行い、当該操作の操作方法に応じて異なる表示態様で、前記選択領域、前記ユーザに固有の画像又は前記メッセージを表示させる第２表示制御手段
として機能させるためのプログラム。
【請求項９】
表示面を有する表示手段を備えた通信端末であるコンピュータを、
自通信端末の位置を放送対象地域として含む放送波に割り当てられたチャンネル識別情報を特定する特定手段と、
メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、
前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段と、
前記取得手段により取得されたチャンネル識別情報が割り当てられた放送波で放送される番組に関連する情報をネットワーク経由で取得する情報取得手段と、
ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行う第２表示制御手段であって、前記取得手段により取得されたチャンネル識別情報が、前記特定手段により特定されたチャンネル識別情報と一致しない場合に、前記情報取得手段により取得された情報を前記番組に代えて前記表示手段又は前記表示装置に表示させるための処理を行う第２表示制御手段
として機能させるためのプログラム。
【請求項１０】
通信端末において実行される通信方法であって、
前記通信端末の位置を放送対象地域として含む放送波に割り当てられたチャンネル識別情報を特定する特定ステップと、
メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得ステップと、
自通信端末の位置を計測する測位ステップと、
自通信端末以外の前記通信端末の位置を表す位置情報を取得する位置取得ステップと、
表示手段の表示面において、ユーザに選択させるための選択領域を、前記特定ステップにおいて特定されたチャンネル識別情報のそれぞれに割り当てて表示させ、かつ、当該チャンネル識別情報を識別する識別画像を当該選択領域に表示させるとともに、前記取得ステップにおいて取得されたチャンネル識別情報に割り当てられた前記選択領域を表示させ、かつ、当該チャンネル識別情報に対応付けて前記取得ステップにおいて取得されたユーザ識別情報によって識別されるユーザに固有の画像と、当該チャンネル識別情報に対応付けて前記取得ステップにおいて取得された前記メッセージとを当該選択領域に表示させる第１表示制御ステップであって、前記測位ステップにおいて計測された位置と前記位置取得ステップにおいて取得された位置情報が表す位置との距離の大きさに応じて異なる表示態様で、前記選択領域、前記ユーザに固有の画像又は前記メッセージを表示させる第１表示制御ステップと、
ユーザの操作によりいずれかの前記選択領域が選択されると、当該選択領域が割り当てられたチャンネル識別情報の放送波で放送されている番組を、前記表示手段又は前記通信端末とは別の表示装置に表示させるための処理を行う第２表示制御ステップと
を備えることを特徴とする通信方法。
【請求項１１】
通信端末において実行される通信方法であって、
前記通信端末の位置を放送対象地域として含む放送波に割り当てられたチャンネル識別情報を特定する特定ステップと、
メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得ステップと、
表示手段の表示面において、ユーザに選択させるための選択領域を、前記特定ステップにおいて特定されたチャンネル識別情報のそれぞれに割り当てて表示させ、かつ、当該チャンネル識別情報を識別する識別画像を当該選択領域に表示させるとともに、前記取得ステップにおいて取得されたチャンネル識別情報に割り当てられた前記選択領域を表示させ、かつ、当該チャンネル識別情報に対応付けて前記取得ステップにおいて取得されたユーザ識別情報によって識別されるユーザに固有の画像と、当該チャンネル識別情報に対応付けて前記取得ステップにおいて取得された前記メッセージとを当該選択領域に表示させる第１表示制御ステップと、
ユーザの操作によりいずれかの前記選択領域が選択されると、当該選択領域が割り当てられたチャンネル識別情報の放送波で放送されている番組を、前記表示手段又は前記通信端末とは別の表示装置に表示させるための処理を行い、当該操作の操作方法に応じて異なる表示態様で、前記選択領域、前記ユーザに固有の画像又は前記メッセージを表示させる第２表示制御ステップと
を備えることを特徴とする通信方法。
【請求項１２】
通信端末において実行される通信方法であって、
前記通信端末の位置を放送対象地域として含む放送波に割り当てられたチャンネル識別情報を特定する特定ステップと、
メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得ステップと、
表示手段の表示面において、ユーザに選択させるための選択領域を、前記特定ステップにおいて特定されたチャンネル識別情報のそれぞれに割り当てて表示させ、かつ、当該チャンネル識別情報を識別する識別画像を当該選択領域に表示させるとともに、前記取得ステップにおいて取得されたチャンネル識別情報に割り当てられた前記選択領域を表示させ、かつ、当該チャンネル識別情報に対応付けて前記取得ステップにおいて取得されたユーザ識別情報によって識別されるユーザに固有の画像と、当該チャンネル識別情報に対応付けて前記取得ステップにおいて取得された前記メッセージとを当該選択領域に表示させる第１表示制御ステップと、
前記取得ステップにおいて取得されたチャンネル識別情報が割り当てられた放送波で放送される番組に関連する情報をネットワーク経由で取得する情報取得ステップと、
ユーザの操作によりいずれかの前記選択領域が選択されると、当該選択領域が割り当てられたチャンネル識別情報の放送波で放送されている番組を、前記表示手段又は前記通信端末とは別の表示装置に表示させるための処理を行う第２表示制御ステップであって、前記取得ステップにおいて取得されたチャンネル識別情報が、前記特定ステップにおいて特定されたチャンネル識別情報と一致しない場合に、前記情報取得ステップにおいて取得された情報を前記番組に代えて前記表示手段又は前記表示装置に表示させるための処理を行う第２表示制御ステップと
を備えることを特徴とする通信方法。
【発明の詳細な説明】
【技術分野】
【０００１】
本発明は、視聴対象となる番組をユーザが選択することを支援する技術に関する。
【背景技術】
【０００２】
ユーザが複数の番組の中から視聴対象となる番組を選択する際、他のユーザがどの番組を視聴しているかをそのユーザに知らせて、その選択の参考にさせる技術がある。特許文献１には、あるユーザとは他のユーザにより視聴されている放送コンテンツ（つまり番組）の解像度を落とした映像をその他のユーザの名前と対応付けて表示して、前述のあるユーザがその映像を選択すると、選択された映像に対応する放送コンテンツが表示される技術について記載されている。
【先行技術文献】
【特許文献】
【０００３】
【特許文献１】特開２０１０−１６１５１０号公報
【発明の概要】
【発明が解決しようとする課題】
【０００４】
特許文献１に係る技術では、放送コンテンツ、つまり番組の切り替え先が他のユーザにより視聴されている番組に限られるため、ユーザが希望する番組がその中にない場合、その番組を視聴するための操作に手間がかかってしまう。
そこで、本発明は、他のユーザによってどの番組が視聴されているかということを知らせるとともに、それらの他のユーザによって視聴されていない番組であっても簡易な操作で視聴し得るようにすることを目的とする。
【課題を解決するための手段】
【０００５】
上記課題を達成するために、本発明は、自通信端末の位置を放送対象地域として含む放送波に割り当てられたチャンネル識別情報を特定する特定手段と、メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、自通信端末の位置を計測する測位手段と、自通信端末以外の前記通信端末の位置を表す位置情報を取得する位置取得手段と、表示面を有する表示手段と、前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段であって、前記測位手段により計測された位置と前記位置取得手段により取得された位置情報が表す位置との距離の大きさに応じて異なる表示態様で、前記選択領域、前記ユーザに固有の画像又は前記メッセージを表示させる第１表示制御手段と、ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行う第２表示制御手段とを備えることを特徴とする通信端末を提供する。
また、本発明は、自通信端末の位置を放送対象地域として含む放送波に割り当てられたチャンネル識別情報を特定する特定手段と、メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、表示面を有する表示手段と、前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段と、ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行い、当該操作の操作方法に応じて異なる表示態様で、前記選択領域、前記ユーザに固有の画像又は前記メッセージを表示させる第２表示制御手段とを備えることを特徴とする通信端末を提供する。
【０００６】
また、本発明は、自通信端末の位置を放送対象地域として含む放送波に割り当てられたチャンネル識別情報を特定する特定手段と、メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、表示面を有する表示手段と、前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段と、前記取得手段により取得されたチャンネル識別情報が割り当てられた放送波で放送される番組に関連する情報をネットワーク経由で取得する情報取得手段と、ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行う第２表示制御手段であって、前記取得手段により取得されたチャンネル識別情報が、前記特定手段により特定されたチャンネル識別情報と一致しない場合に、前記情報取得手段により取得された情報を前記番組に代えて前記表示手段又は前記表示装置に表示させるための処理を行う第２表示制御手段とを備えることを特徴とする通信端末を提供する。
また、前記第１表示制御手段は、前記取得手段により取得されたチャンネル識別情報に対応付けられている前記ユーザ識別情報の数又は前記メッセージの数に応じて異なる表示態様で、当該チャンネル識別情報に割り当てられた前記選択領域を前記表示面に表示させるようにしてもよい。
【０００７】
さらに、前記放送波を受信するアンテナを有し、前記特定手段は、前記アンテナが閾値以上の受信強度で受信した放送波に割り当てられたチャンネル識別情報を特定するようにしてもよい。
【００１１】
また、本発明は、請求項１ないし５のいずれか１項に記載の通信端末と、前記ユーザ識別情報と、前記チャンネル識別情報と、前記メッセージとを対応付けて記憶する記憶手段と、前記チャンネル識別情報と、当該チャンネル識別情報に対応付けられている前記ユーザ識別情報及び前記メッセージとを前記通信端末に送信する送信手段とを備える記憶装置とを具備し、前記通信端末の取得手段は、前記記憶装置の送信手段から送信されてくる前記チャンネル識別情報、前記ユーザ識別情報及び前記メッセージを取得することを特徴とする通信システムを提供する。
【００１２】
また、本発明は、表示面を有する表示手段と自通信端末の位置を計測する測位手段とを備えた通信端末であるコンピュータを、自通信端末の位置を放送対象地域として含む放送波に割り当てられたチャンネル識別情報を特定する特定手段と、メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、自通信端末以外の前記通信端末の位置を表す位置情報を取得する位置取得手段と、前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段であって、自通信端末の位置を計測する測位手段により計測された位置と前記位置取得手段により取得された位置情報が表す位置との距離の大きさに応じて異なる表示態様で、前記選択領域、前記ユーザに固有の画像又は前記メッセージを表示させる第１表示制御手段と、ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行う第２表示制御手段として機能させるためのプログラムを提供する。
さらに、本発明は、表示面を有する表示手段を備えた通信端末であるコンピュータを、
自通信端末の位置を放送対象地域として含む放送波に割り当てられたチャンネル識別情報を特定する特定手段と、メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段と、ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行い、当該操作の操作方法に応じて異なる表示態様で、前記選択領域、前記ユーザに固有の画像又は前記メッセージを表示させる第２表示制御手段として機能させるためのプログラムを提供する。
また、本発明は、表示面を有する表示手段を備えた通信端末であるコンピュータを、自通信端末の位置を放送対象地域として含む放送波に割り当てられたチャンネル識別情報を特定する特定手段と、メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得手段と、前記表示面において、ユーザに選択させるための選択領域を、前記特定手段により特定されたチャンネル識別情報のそれぞれに割り当てて表示させ、かつ、当該チャンネル識別情報を識別する識別画像を当該選択領域に表示させるとともに、前記取得手段が取得したチャンネル識別情報に割り当てられた前記選択領域を表示させ、かつ、当該チャンネル識別情報に対応付けて前記取得手段が取得したユーザ識別情報によって識別されるユーザに固有の画像と、当該チャンネル識別情報に対応付けて前記取得手段が取得した前記メッセージとを当該選択領域に表示させる第１表示制御手段と、前記取得手段により取得されたチャンネル識別情報が割り当てられた放送波で放送される番組に関連する情報をネットワーク経由で取得する情報取得手段と、ユーザの操作によりいずれかの前記選択領域が選択されると、当該選択領域が割り当てられたチャンネル識別情報の放送波で放送されている番組を、前記表示手段又は自通信端末とは別の表示装置に表示させるための処理を行う第２表示制御手段であって、前記取得手段により取得されたチャンネル識別情報が、前記特定手段により特定されたチャンネル識別情報と一致しない場合に、前記情報取得手段により取得された情報を前記番組に代えて前記表示手段又は前記表示装置に表示させるための処理を行う第２表示制御手段として機能させるためのプログラムを提供する。
【００１３】
また、本発明は、通信端末において実行される通信方法であって、前記通信端末の位置を放送対象地域として含む放送波に割り当てられたチャンネル識別情報を特定する特定ステップと、メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得ステップと、自通信端末の位置を計測する測位ステップと、自通信端末以外の前記通信端末の位置を表す位置情報を取得する位置取得ステップと、表示手段の表示面において、ユーザに選択させるための選択領域を、前記特定ステップにおいて特定されたチャンネル識別情報のそれぞれに割り当てて表示させ、かつ、当該チャンネル識別情報を識別する識別画像を当該選択領域に表示させるとともに、前記取得ステップにおいて取得されたチャンネル識別情報に割り当てられた前記選択領域を表示させ、かつ、当該チャンネル識別情報に対応付けて前記取得ステップにおいて取得されたユーザ識別情報によって識別されるユーザに固有の画像と、当該チャンネル識別情報に対応付けて前記取得ステップにおいて取得された前記メッセージとを当該選択領域に表示させる第１表示制御ステップであって、前記測位ステップにおいて計測された位置と前記位置取得ステップにおいて取得された位置情報が表す位置との距離の大きさに応じて異なる表示態様で、前記選択領域、前記ユーザに固有の画像又は前記メッセージを表示させる第１表示制御ステップと、ユーザの操作によりいずれかの前記選択領域が選択されると、当該選択領域が割り当てられたチャンネル識別情報の放送波で放送されている番組を、前記表示手段又は前記通信端末とは別の表示装置に表示させるための処理を行う第２表示制御ステップとを備えることを特徴とする通信方法を提供する。
さらに、本発明は、通信端末において実行される通信方法であって、前記通信端末の位置を放送対象地域として含む放送波に割り当てられたチャンネル識別情報を特定する特定ステップと、メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得ステップと、表示手段の表示面において、ユーザに選択させるための選択領域を、前記特定ステップにおいて特定されたチャンネル識別情報のそれぞれに割り当てて表示させ、かつ、当該チャンネル識別情報を識別する識別画像を当該選択領域に表示させるとともに、前記取得ステップにおいて取得されたチャンネル識別情報に割り当てられた前記選択領域を表示させ、かつ、当該チャンネル識別情報に対応付けて前記取得ステップにおいて取得されたユーザ識別情報によって識別されるユーザに固有の画像と、当該チャンネル識別情報に対応付けて前記取得ステップにおいて取得された前記メッセージとを当該選択領域に表示させる第１表示制御ステップと、ユーザの操作によりいずれかの前記選択領域が選択されると、当該選択領域が割り当てられたチャンネル識別情報の放送波で放送されている番組を、前記表示手段又は前記通信端末とは別の表示装置に表示させるための処理を行い、当該操作の操作方法に応じて異なる表示態様で、前記選択領域、前記ユーザに固有の画像又は前記メッセージを表示させる第２表示制御ステップとを備えることを特徴とする通信方法を提供する。
また、本発明は、通信端末において実行される通信方法であって、前記通信端末の位置を放送対象地域として含む放送波に割り当てられたチャンネル識別情報を特定する特定ステップと、メッセージを送信する機能を有する各々の通信端末のユーザを識別するユーザ識別情報と、前記各々のユーザが視聴している番組の放送波に割り当てられたチャンネル識別情報と、前記各々の通信端末から送信される前記メッセージとを対応付けて記憶する記憶装置から、前記チャンネル識別情報と、当該チャンネル識別情報に対応付けられている前記ユーザ識別情報及び前記メッセージとを取得する取得ステップと、表示手段の表示面において、ユーザに選択させるための選択領域を、前記特定ステップにおいて特定されたチャンネル識別情報のそれぞれに割り当てて表示させ、かつ、当該チャンネル識別情報を識別する識別画像を当該選択領域に表示させるとともに、前記取得ステップにおいて取得されたチャンネル識別情報に割り当てられた前記選択領域を表示させ、かつ、当該チャンネル識別情報に対応付けて前記取得ステップにおいて取得されたユーザ識別情報によって識別されるユーザに固有の画像と、当該チャンネル識別情報に対応付けて前記取得ステップにおいて取得された前記メッセージとを当該選択領域に表示させる第１表示制御ステップと、前記取得ステップにおいて取得されたチャンネル識別情報が割り当てられた放送波で放送される番組に関連する情報をネットワーク経由で取得する情報取得ステップと、ユーザの操作によりいずれかの前記選択領域が選択されると、当該選択領域が割り当てられたチャンネル識別情報の放送波で放送されている番組を、前記表示手段又は前記通信端末とは別の表示装置に表示させるための処理を行う第２表示制御ステップであって、前記取得ステップにおいて取得されたチャンネル識別情報が、前記特定ステップにおいて特定されたチャンネル識別情報と一致しない場合に、前記情報取得ステップにおいて取得された情報を前記番組に代えて前記表示手段又は前記表示装置に表示させるための処理を行う第２表示制御ステップとを備えることを特徴とする通信方法を提供する。
【発明の効果】
【００１４】
本発明によれば、他のユーザによってどの番組が視聴されているかということを知らせるとともに、それらの他のユーザによって視聴されていない番組であっても簡易な操作で視聴し得るようにすることができる。
【図面の簡単な説明】
【００１５】
【図１】実施形態に係る視聴管理システムの全体構成を示すブロック図である。
【図２】視聴管理サーバ装置のハードウェア構成を示す図である。
【図３】番組情報サーバ装置のハードウェア構成を示す図である。
【図４】ＳＮＳサーバ装置のハードウェア構成を示す図である。
【図５】移動通信端末のハードウェア構成を示す図である。
【図６】初回表示処理の手順を示すシーケンスチャートである。
【図７】移動通信端末の表示部に表示される画面の一例を示す図である。
【図８】番組関連情報を記憶する処理の一例を示すシーケンスチャートである。
【図９】移動通信端末の表示部に表示される画面の一例を示す図である。
【図１０】選択領域を表示させる処理の一例を示すシーケンスチャートである。
【図１１】移動通信端末の表示部に表示される画面の一例を示す図である。
【図１２】ユーザのプロファイルがより詳細となるように段階的に表示される例を示す図である。
【図１３】表示させる顔画像を切り替える例を示す図である。
【図１４】番組情報がより詳細となるように段階的に表示される例を示す図である。
【図１５】移動通信端末の制御部がプログラムを実行することで実現する機能を示すブロック図である。
【図１６】変形例において移動通信端末に表示される画面の一例を示す図である。
【図１７】変形例において移動通信端末に表示される画面の一例を示す図である。
【図１８】変形例において移動通信端末に表示される画面の一例を示す図である。
【図１９】変形例において移動通信端末に表示される各ユーザの位置が示された地図の一例を示す図である。
【発明を実施するための形態】
【００１６】
［実施形態］
以下、本発明の実施形態について図面を参照して説明する。
図１は、本発明の一実施形態に係る視聴管理システム１の全体構成を示すブロック図である。視聴管理システム１は、複数の移動通信端末１０と、視聴管理サーバ装置２０と、番組情報サーバ装置３０と、ＳＮＳ（Social Network Service）サーバ装置４０と、複数の放送局５０と、ネットワーク６０とを備える。複数の放送局５０は、放送事業者によって運営される設備であり、テレビジョン放送（テレビ放送）の仕組みによって例えばニュース、ドラマ及びスポーツ中継等の番組を放送する。各放送局５０は、これらの番組の音声や映像のほか、番組名などのメタ情報を意味する文字列を表す放送波（すなわち番組を表す放送波）を送信する。各放送局５０が送信する放送波は、周波数がそれぞれ予め定められており、それぞれにチャンネル番号が割り当てられている。図１では、複数の放送局５０のうちの放送局５０Ｒ、５０Ｓ、５０Ｔ及び５０Ｕが示されており、チャンネル番号「１」、「２」、「３」及び「４」が割り当てられた放送波をそれぞれ送信している。
【００１７】
複数の移動通信端末１０は、いずれも、携帯電話機又はスマートフォン等のような通信端末である。各移動通信端末１０は、テレビ放送の放送波を受信して、この放送波が表す番組を表示する。つまり、各移動通信端末１０は、これらの番組をユーザに視聴させる機能を有している。また、移動通信端末１０は、ネットワーク６０を介して視聴管理サーバ装置２０及びＳＮＳサーバ装置４０と通信し、これらのサーバ装置とデータをやり取りする。ネットワーク６０は、例えば携帯電話網や無線ＬＡＮ（Local Area Network）などの移動通信網やインターネットなどの固定通信網を含む通信網である。図１を含む以下の図では、複数の移動通信端末１０のうちの２台（移動通信端末１０Ａ及び１０Ｂ）を中心にして説明する。これらの移動通信端末１０Ａ及び１０Ｂは、ユーザＡ及びＢによってそれぞれ利用されている。
【００１８】
番組情報サーバ装置３０は、上記テレビ放送の番組の内容を表す番組情報を蓄積している。この番組情報には、例えば、番組名、番組の概要及び出演者の名前等が含まれている。番組情報サーバ装置３０は、或るチャンネル番号の番組の番組情報を視聴管理サーバ装置２０から要求されると、蓄積している番組情報のうちのそのチャンネル番号で現在放送されている番組の番組情報を、ネットワーク６０を介して視聴管理サーバ装置２０に送信する。番組情報サーバ装置３０は、番組情報を提供する事業を行っている事業者によって管理及び運用されている。番組情報サーバ装置３０には、番組情報として、各放送局５０から提供されるものと、この事業者が作成したものとが蓄積されている。
【００１９】
ＳＮＳサーバ装置４０は、移動通信端末１０のユーザに対していわゆるソーシャルネットワーキングサービスを提供するものであり、お互いに知人として登録したユーザ間で情報を共有させるための機能を有している。ＳＮＳサーバ装置４０は、このサービスを提供するためのＷＥＢサイトであるＳＮＳサイトを構成するデータを保持しており、ユーザが移動通信端末１０を用いてこのＳＮＳサイトにアクセスすることにより、上記機能を利用して情報が共有できるようにしている。ここで共有される情報とは、各ユーザの顔を表す画像（顔画像という）、年齢、勤務先及び趣味等のプロファイルや、各ユーザがＳＮＳサイトに投稿してくるメッセージなどである。このメッセージは、１又は複数の文からなる文章のことであり、ユーザにより作成される。各移動通信端末１０は、このメッセージをＳＮＳサーバ装置４０に送信する機能を有している。ユーザは、各移動通信端末１０を操作してメッセージを作成し、作成したメッセージをＳＮＳサーバ装置４０に送信させることで、ＳＮＳサイトにメッセージを投稿するようになっている。ＳＮＳサーバ装置４０は、上記のソーシャルネットワーキングサービスの事業を行っている事業者によって管理及び運用されている。上述したユーザＡ及びＢは、このソーシャルネットワーキングサービスを利用しており、互いに知人として登録されているものとする。
【００２０】
視聴管理サーバ装置２０は、ネットワーク６０を介して番組情報サーバ装置３０及びＳＮＳサーバ装置４０と通信し、上記番組情報と上記メッセージとをそれぞれ記憶する記憶装置である。視聴管理サーバ装置２０は、記憶する番組情報及びメッセージを、各移動通信端末１０からの要求に応じてこれらの移動通信端末１０に送信する。
【００２１】
図２は、視聴管理サーバ装置２０のハードウェア構成を示す図である。視聴管理サーバ装置２０は、制御部２１０と、通信部２２０と、記憶部２３０とを備えたコンピュータとして構成されている。制御部２１０は、ＣＰＵ（Central Processing Unit）等の演算装置と、ＲＯＭ（Read Only Memory）及びＲＡＭ（Random Access Memory）等の記憶装置とを備えている。ＣＰＵは、ＲＡＭをワークエリアとして用いてＲＯＭや記憶部２３０に記憶されたプログラムを実行することによって、視聴管理サーバ装置２０の各部の動作を制御する。通信部２２０は、ネットワーク６０に接続された接続手段であり、移動通信端末１０、番組情報サーバ装置３０及びＳＮＳサーバ装置４０とデータを送受信する。記憶部２３０は、例えばハードディスク等の記憶手段であり、制御部２１０が制御に用いるデータやプログラムを記憶している。また、記憶部２３０は、上述した番組情報、プロファイル及びメッセージを記憶する。また、記憶部２３０は、上記ユーザを識別するユーザ識別情報であるユーザＩＤ（identification）を、そのユーザが利用する移動通信端末１０の識別子と対応付けて記憶している。
【００２２】
図３及び図４は、それぞれ番組情報サーバ装置３０及びＳＮＳサーバ装置４０のハードウェア構成を示す図である。番組情報サーバ装置３０は、制御部３１０、通信部３２０及び記憶部３３０を備える。ＳＮＳサーバ装置４０は、制御部４１０、通信部４２０及び記憶部４３０を備える。これらの各部は、ハードウェアとしては、視聴管理サーバ装置２０の各部と共通するものである。一方、各々の記憶部３３０及び４３０に記憶されているデータやプログラムは、記憶部２３０に記憶されているものと異なっている。記憶部３３０は、上述した番組情報を、その番組情報が内容を表す番組のチャンネル番号と、その番組が放送される時刻と対応付けて記憶している。記憶部４３０は、上述したプロファイルとメッセージとを、各ユーザのユーザＩＤに対応付けて記憶している。このユーザＩＤは、視聴管理サーバ装置２０の記憶部２３０に記憶されているユーザＩＤと同じものであり、言い換えれば、視聴管理サーバ装置２０が、ＳＮＳサーバ装置４０で用いられているユーザＩＤと同じものを用いてユーザを識別するようにしている。また、記憶部４３０は、各ユーザのユーザＩＤと、そのユーザが知人として登録している他のユーザのユーザＩＤとを対応付けて記憶している。
【００２３】
図５は、移動通信端末１０のハードウェア構成を示す図である。移動通信端末１０は、制御部１１０と、通信部１２０と、記憶部１３０と、音声入出力部１４０と、チューナ部１５０と、アンテナ１５１と、操作部１６０と、表示部１７０とを備えたコンピュータとして構成されている。制御部１１０は、ＣＰＵ等の演算装置と、ＲＯＭ及びＲＡＭなどの記憶装置とを備えている。ＣＰＵは、ＲＡＭをワークエリアとして用いてＲＯＭや記憶部１３０に記憶されたプログラムを実行することによって、移動通信端末１０の各部の動作を制御する。通信部１２０は、ネットワーク６０の基地局との間で無線信号を遣り取りするアンテナや通信回路を備えており、ネットワーク６０を介して視聴管理サーバ装置２０及びＳＮＳサーバ装置４０と通信を行う。記憶部１３０は、例えばフラッシュメモリやハードディスク等の記憶手段であり、制御部１１０が制御に用いるデータやプログラムを記憶している。また、記憶部１３０は、日本国内の各放送局５０が送信する放送波の周波数とそれらの放送波に割り当てられたチャンネル番号とを対応付けたテーブルと、この移動通信端末１０を利用するユーザのユーザＩＤとを記憶している。
【００２４】
音声入出力部１４０は、スピーカ、マイクロフォン及び音声処理回路などを備えており、通話に係る音声の入出力を行う。チューナ部１５０は、放送波を受信するアンテナ１５１に接続するチューナを有し、各放送局５０から送信される放送波を受信し復調する。チューナ部１５０は、制御部１１０の指示の下、受信した複数の放送波のうちのある放送波から音声データ、映像データ及び文字データを復調し、これらのデータを記憶部１３０に出力する。操作部１６０は、複数のキー及びタッチセンサなどの操作子を備え、ユーザの操作に応じた操作信号を制御部１１０に供給する。制御部１１０は、この操作信号に応じた処理を行う。表示部１７０は、液晶パネル及び液晶駆動回路を有する表示手段であり、制御部１１０からの指示に応じて液晶パネルの表示面に画像を表示する。
【００２５】
制御部１１０は、上記各部を制御することにより、ユーザが選択したチャンネル番号の番組を表示させる。具体的には、まず、ユーザが操作部１６０を操作してチャンネル番号を選択すると、選択したチャンネル番号を表す操作信号が制御部１１０に供給される。制御部１１０は、記憶部１３０に記憶されている上述したテーブルを参照し、供給された操作信号が表すチャンネル番号に対応付けられている周波数を特定する。次に、制御部１１０は、チューナ部１５０を制御して、特定した周波数の放送波から音声データ、映像データ及び文字データを復調させる。そして、制御部１１０は、復調させた音声データが表す音声を音声入出力部１４０から出力させるとともに、復調させた映像データが表す映像と文字データが表す文字列とを表示部１７０に表示させる。このようにして、ユーザが選択したチャンネル番号の番組が表示される。
【００２６】
移動通信端末１０においては、上記のとおりユーザがチャンネル番号を選択するに当たり、どのチャンネル番号を選択するかを判断する際の判断材料がユーザに提供される。以下、図６から図１４までを参照して、このときの移動通信端末１０の動作について説明する。以下の図では、移動通信端末１０Ａ及び１０Ｂの各部を、各々の符号の末尾にＡ、Ｂを付して表す（例えば移動通信端末１０Ａの制御部は制御部１１０Ａと表す。）。
【００２７】
図６は、移動通信端末１０の表示部１７０に最初に番組が表示されるまでの処理（以下「初回表示処理」という。）の手順を示すシーケンスチャートである。この手順の一例として、まず、移動通信端末１０Ｂにおけるこの処理について説明する。この処理は、ユーザにより移動通信端末１０Ｂの操作部１６０Ｂが操作され、テレビ放送の番組の視聴開始が指示される（ステップＳ１０１）ことにより開始される。テレビ放送では、各放送局５０は、放送法で規定された放送対象地域において受信できるように放送波を送信している。つまり、或る放送対象地域においては、受信できる放送波を送信している放送局５０が決まっている。このため、ユーザが移動通信端末１０を持って今と異なる放送対象地域に移動すると、その移動通信端末１０において表示可能な番組のチャンネル番号の組み合わせが移動前と変化することになる。そこで、移動通信端末１０Ｂの制御部１１０Ｂは、上記の操作により操作部１６０Ｂから操作信号が供給されると、アンテナ１５１Ｂにより閾値以上の受信強度で受信した放送波を、受信可能な放送波として、その放送波に割り当てられたチャンネル番号の特定（チャンネルサーチ）を行う（ステップＳ１０２）。具体的には、制御部１１０Ｂは、チューナ部１５０Ｂに対して、上記テーブルに含まれている各周波数の放送波を順番に受信するように指示する。そして、制御部１１０Ｂは、指示した周波数の放送波をアンテナ１５１Ｂが上記閾値以上の受信強度で受信した場合、この周波数に対応するチャンネル番号を記憶部１３０Ｂに記憶させておく。この受信レベルの閾値は、チューナ部１５０Ｂがその放送波から音声データ、映像データ及び文字データを視聴可能な程度に復調する値として、予め定められている値である。このようにして、制御部１１０Ｂは、アンテナ１５１Ｂにより受信される放送波に割り当てられたチャンネル番号を特定する。一方、各放送局５０は、放送法で規定された放送対象地域において受信できるように放送波を送信している。つまり、制御部１１０Ｂは、移動通信端末１０Ｂの位置を放送対象地域として含む放送波に割り当てられたチャンネル番号を特定していることになる。
【００２８】
この例では、チューナ部１５０Ｂは、放送局５０Ｒ、５０Ｔ及び５０Ｕからそれぞれ送信された放送波から音声データ、映像データ及び文字データを復調したとする（ステップＳ１０３、Ｓ１０４、Ｓ１０５）。その結果、制御部１１０Ｂは、視聴可能な番組のチャンネル番号として、これらの放送波に割り当てられたチャンネル番号「１」、「２」、「３」を特定する。また、図示は省略しているが、制御部１１０Ｂは、これらの他に、チャンネル番号「５」、「６」、「８」を視聴可能な番組のチャンネル番号として特定したものとする。制御部１１０Ｂは、特定したこれらのチャンネル番号が割り当てられている選択領域を表示部１７０Ｂの表示面上に表示させる（ステップＳ１０９）。ここにおいて、選択領域とは、各チャンネル番号のそれぞれに割り当てられた領域であり、ユーザに選択させるためのものである。この選択領域が操作部１６０Ｂの操作により選択されることで、この選択領域に対応付けられているチャンネル番号の番組を表示させる動作を制御部１１０Ｂが行うようになっている。つまり、選択領域は、操作されると表示される番組を切り替える処理が行われる操作子として機能する。なお、この例では６つの選択領域が表示されているが、選択領域が表示されていなければ、視聴可能な番組がないということになるので、ユーザが移動通信端末１０Ｂで番組を視聴するためには、制御部１１０Ｂにより特定されたチャンネル番号が割り当てられている選択領域が少なくとも１つ表示されていることが必要である。
【００２９】
移動通信端末１０Ｂの制御部１１０Ｂは、各選択領域に、その選択領域が割り当てられているチャンネル番号を識別する識別画像と、そのチャンネル番号の放送波から復調した番組名とを表示させる。そして、制御部１１０Ｂは、特定した放送波に割り当てられたチャンネル番号のうちの最も小さい数の識別子が割り当てられているチャンネル番号（この例では「１」）の番組を表示部１７０Ｂに表示させる（ステップＳ１１０）。なお、このとき表示される番組のチャンネル番号は、例えば前回最後に表示されていたチャンネル番号であってもよく、特定した放送波に割り当てられたチャンネル番号のうちのいずれかであればよい。
【００３０】
図７は、図６のステップＳ１０１からＳ１１０までの処理が実行された結果、移動通信端末１０Ｂの表示部１７０Ｂに表示される画面の一例を示す図である。表示部１７０Ｂの表示面は長方形であり、移動通信端末１０Ｂの制御部１１０Ｂは、表示させる各画像が表示面に収まりきらないときには、画面をスクロールさせてそれらの画像を表示させるようにする。制御部１１０Ｂは、表示部１７０Ｂの表示面において番組を表示させてユーザに視聴させる領域である番組領域７１０Ｂに、チャンネル番号「１」の番組を表示させている。また、制御部１１０Ｂは、番組領域７１０Ｂの下に、上述したＳＮＳサイトに投稿するメッセージを書き込む領域である書き込み領域７２１Ｂ、及び選択されると書き込まれたメッセージの送信を要求する画像である送信要求ボタン７２２Ｂとを表示させている。また、制御部１１０Ｂは、番組領域７１０Ｂの上に、番組の視聴を終了させるための視聴終了ボタン７３０Ｂを表示させている。操作部１６０Ｂが操作されて視聴終了ボタン７３０Ｂが選択されると、制御部１１０Ｂは、番組領域７１０Ｂへの番組の表示を終了させることになる。
【００３１】
また、移動通信端末１０Ｂの制御部１１０Ｂは、書き込み領域７２１Ｂの下に、上述した選択領域を表示させる領域であるボタン領域８００Ｂを表示させている。この例では、制御部１１０Ｂは、このボタン領域８００Ｂに、ステップＳ１２２で特定した「１」、「２」、「４」、「５」、「６」、「８」の６つのチャンネル番号にそれぞれ割り当てられた選択領域８１０Ｂ、８２０Ｂ、８３０Ｂ、８４０Ｂ、８５０Ｂ、８６０Ｂを表示させている。具体的には、制御部１１０Ｂは、これらの選択領域の形状、大きさ及び位置を、ボタン領域８００Ｂに収まるようにそれぞれ定めて表示させている。この例では、制御部１１０Ｂは、これら６つの選択領域を、大きさが共通する長方形の領域として、横が２列、縦が３列となるように表示させている。このように、制御部１１０Ｂは、ステップＳ１２２で特定したチャンネル番号の数に応じて各選択領域の大きさ、形状及び配置を定める。つまり、制御部１１０Ｂは、ステップＳ１２２で特定したチャンネル番号に応じて選択領域を定めている。
【００３２】
制御部１１０Ｂは、これらの選択領域に、特定したチャンネル番号を表す画像（例えばチャンネル番号「１」であれば「１ｃｈ」という文字列。）と、そのチャンネル番号で放送されている番組の番組名を表す画像とを表示させている。この例では、制御部１１０Ｂは、上記の各選択領域に、「ニュース番組α」、「海外情報番組β」、「バラエティ番組χ」、「科学情報番組δ」、「ドラマ番組ε」、「スポーツ番組Φ」というように、番組名を意味する文字列をそれぞれ表示させている。以上のように、表示部１７０Ｂには、この時点では、テレビ放送の放送波が表す情報のみが表示されている。
【００３３】
図６に戻って説明する。移動通信端末１０Ａの制御部１１０Ａは、操作部１６０Ａが操作され、テレビ放送の番組の視聴開始が指示されることで（ステップＳ１２１）、上述した移動通信端末１０Ｂの制御部１１０Ｂと同様に、初回表示処理を行う。すなわち、制御部１１０Ａは、まず、チャンネルサーチを行い（ステップＳ１２２）、チューナ部１５０ＡがステップＳ１２３、Ｓ１２４、Ｓ１２５において放送局５０Ｒ、５０Ｓ、５０Ｕから送信された放送波を受信することで、チャンネル番号「１」、「２」、「４」を特定し、図示は省略しているが、他にもチャンネル番号「５」、「６」、「８」を特定するものとする。そして、制御部１１０Ａは、表示部１７０Ａのボタン領域８００Ａに、各チャンネル番号に割り当てられた選択領域を表示させ（ステップＳ１２９）、表示部１７０Ａの番組領域７１０Ａに、チャンネル番号「１」の番組を表示させる（ステップＳ１３０）。
【００３４】
続いて、視聴管理サーバ装置２０が移動通信端末１０で視聴されている番組に関する情報を記憶する処理について説明する。ここでいう番組に関する情報（以下「番組関連情報」という。）とは、その番組のチャンネル番号と、その番組の番組情報と、その番組が表示されている移動通信端末１０から送信されたメッセージとの３つである。以下では、移動通信端末１０Ｂで番組が視聴されている場合を説明する。
【００３５】
図８は、視聴管理サーバ装置２０の制御部２１０が番組関連情報を記憶する処理の一例を示すシーケンスチャートである。この処理は、図６に示した初回表示処理が完了したところから始まるものとする。移動通信端末１０Ｂの制御部１１０Ｂは、初回表示処理において最初の番組を表示させると（ステップＳ１１０）、表示させた番組のチャンネル番号（この例では「１」）を、自端末の識別子に対応付けられているユーザＩＤとともに視聴管理サーバ装置２０に送信する（ステップＳ２０１）。
【００３６】
視聴管理サーバ装置２０の制御部２１０は、ステップＳ２０１において送信されてくるチャンネル番号とユーザＩＤとを受信すると、そのユーザＩＤに対応付けられている移動通信端末１０の状態を表すフラグを「視聴中」に変更する（ステップＳ２１０）。このフラグは、その移動通信端末１０で何らかの番組が視聴されているか否かを表すものであり、前者を表す「視聴中」と後者を表す「非視聴」の２つの状態のいずれかをとる。制御部２１０は、これらの文字列のいずれかを、記憶部２３０の特定の領域にユーザＩＤと対応付けて記憶させる。これにより、制御部２１０は、そのユーザＩＤに対応する移動通信端末１０が、この領域に記憶されている文字列が表す状態となっていると判断する。
【００３７】
ユーザＢは、最初に表示された番組が自分の見たい番組でない場合や、他に見たい番組があるかどうかを探したい場合に、操作部１６０Ｂを操作することで、各チャンネル番号に割り当てられた選択領域のいずれか１つを選択する（ステップＳ２０２）。ここで、そのときに表示されている番組のチャンネル番号（この場合「１」）以外のチャンネル番号が割り当てられた選択領域が選択されると、移動通信端末１０Ｂの制御部１１０Ｂは、ステップＳ２０１と同様の処理を行って、選択された選択領域が割り当てられているチャンネル番号の放送波であって、放送局５０ＵからステップＳ２０３において送信されてくる放送波が表す番組を表示部１７０Ｂに表示させる（ステップＳ２０４）。
また、ユーザＢは、番組を視聴しながら、他のユーザと共有したいと思ったことを、操作部１６０Ｂを用いてＳＮＳサイトへ書き込む操作を行う（ステップＳ２０６）。具体的には、書き込み領域７２１Ｂにメッセージが書き込まれ、送信要求ボタン７２２が選択されると、移動通信端末１０Ｂの制御部１１０Ｂは、書き込まれたメッセージをユーザＩＤとともにＳＮＳサーバ装置４０に送信する（ステップＳ２０７）。
【００３８】
一方、視聴管理サーバ装置２０の制御部２１０は、上記フラグが「視聴中」である間、番組情報を記憶する処理（以下「番組情報記憶処理」という。）と、ソーシャルネットワーキングサービスに関する情報（ユーザのプロファイル及びユーザから投稿されたメッセージ）を記憶する処理（以下「ＳＮＳ情報記憶処理」という。）とを、それぞれ予め定められた時間の間隔で実行している。図８では、ステップＳ２０５においてチャンネル番号が送信されてきた後に番組情報記憶処理が実行される場合を示している。まず、制御部２１０は、移動通信端末１０Ｂから送信されてきたチャンネル番号を番組情報サーバ装置３０に送信し、このチャンネル番号で現在放送されている番組の番組情報を要求する（ステップＳ２１１）。番組情報サーバ装置３０の記憶部３３０には、前述したように、各チャンネル番号の番組の番組情報が、それらの番組が放送される時刻の情報と対応付けて記憶されている。番組情報サーバ装置３０の制御部３１０は、上記要求がされると、要求されたチャンネル番号で現在放送されている番組の番組情報を、視聴管理サーバ装置２０に送信する（ステップＳ２１２）。そして、視聴管理サーバ装置２０の制御部２１０は、番組情報サーバ装置３０から送信されてきた番組情報を、ステップＳ２１１で送信したチャンネル番号と対応付けて記憶部２３０に記憶させる（ステップＳ２１３）。
【００３９】
次に、ＳＮＳ情報記憶処理について説明する。図８では、ステップＳ２０７においてメッセージが送信された時刻以降であり、かつ、その時刻に放送されている番組がまだ放送されている時刻にＳＮＳ情報記憶処理が実行される場合を示している。まず、視聴管理サーバ装置２０の制御部２１０は、ＳＮＳサーバ装置４０に対して、ステップＳ２０２において送信されてきたユーザＩＤに対応付けられているメッセージのうち、次の条件を満たすメッセージを要求する（ステップＳ２１４）。その条件とは、そのメッセージが、移動通信端末１０Ｂから最新のチャンネル番号が視聴管理サーバ装置２０に送信されてきた時刻以降で、かつ、そのチャンネル番号で現在放送されている番組の放送時刻のどこかでＳＮＳサーバ装置４０に送信されたということである。この条件によって、要するに、移動通信端末１０Ｂにおいて現在表示されている番組を視聴可能な時刻にこの端末からＳＮＳサイトに投稿されたメッセージが特定される。この場合、ＳＮＳサーバ装置４０の制御部４１０は、ステップＳ２０７において送信されてきたメッセージを上記条件を満たすものとして視聴管理サーバ装置２０に送信する（ステップＳ２１５）。視聴管理サーバ装置２０の制御部２１０は、ステップＳ２１５において送信されてきたこのメッセージを、上記ユーザＩＤに対応付けて記憶部２３０に記憶させる（ステップＳ２１６）。なお、ＳＮＳサーバ装置４０の制御部４１０は、ステップＳ２１４において要求されたメッセージが存在しない場合、ステップＳ２１５においてその旨を視聴管理サーバ装置２０に通知する。この場合、記憶するメッセージが存在しないので、制御部２１０は、ステップＳ２１６の処理を行わない。
【００４０】
視聴管理サーバ装置２０の制御部２１０は、上述した番組情報記憶処理（ステップＳ２１１及びＳ２１３）と、ＳＮＳ情報記憶処理（ステップＳ２１４及びＳ２１６）とを、上記フラグが「視聴中」である間、予め定められた間隔で実行する。例えば、この間隔がそれぞれ５分と定められている場合、制御部２１０は、５分が経過するたびに、記憶部２３０に記憶されているこのフラグを参照し、参照したこのフラグが「視聴中」である場合に、これらの処理を実行する。
【００４１】
続いて、番組を視聴するユーザにより操作部１６０Ｂが操作されて、視聴を終了する操作が行われたとする（ステップＳ２２１）。具体的には、操作部１６０Ｂがユーザにより操作されて、視聴終了ボタン７３０Ｂが選択され、移動通信端末１０Ｂの制御部１１０Ｂが、この操作によって供給される操作信号に基づき、視聴が終了した旨を視聴管理サーバ装置２０に通知する（ステップＳ２２２）。視聴管理サーバ装置２０の制御部２１０は、この通知がされると、上記フラグを「非視聴」に変更する（ステップＳ２２３）。制御部２１０は、この変更をした後は、上述した間隔でフラグを参照するという処理を行わなくなり、それに伴い、番組情報記憶処理及びＳＮＳ情報記憶処理も行わなくなる。
このようにして、視聴管理サーバ装置２０の記憶部２３０には、移動通信端末１０Ｂにおいて視聴されている番組のチャンネル番号と、その番組の番組情報と、その番組の視聴が始まった後にそのユーザから投稿されたメッセージとが、移動通信端末１０Ｂを利用するユーザＢのユーザＩＤに対応付けられて記憶される。
【００４２】
図９は、図８で説明した処理によって移動通信端末１０Ｂの表示部１７０Ｂに表示される画面の一例を示す図である。制御部１１０Ｂは、ステップＳ２０２において切り替え先として選択された選択領域８３０Ｂの縁を、他の選択領域よりも太く表示させている。これにより、ユーザは現在選択されているチャンネル番号に割り当てられた選択領域が分かるようになっている。また、制御部１１０Ｂは、番組領域７１０Ａに、チャンネル番号「４」の番組を表示させている。制御部１１０Ｂは、表示している番組に重ねて、チャンネル番号を表す「４ｃｈ」と、「視聴中」という文字列と、番組名を表す「バラエティ番組χ」という文字列とを表示させている。また、制御部１１０Ｂは、書き込み領域７２１Ｂに、ステップＳ２０６において書き込まれたメッセージである「これ再放送？」という文字列を表示させている。
【００４３】
図１０は、視聴管理サーバ装置２０が記憶する情報を、移動通信端末１０Ａの表示部１７０Ａに表示させる処理の例を示すシーケンスチャートである。移動通信端末１０Ａの制御部１１０Ａは、この処理を、図６で示したステップＳ１２９の選択領域を表示させる処理に続けて実行する。図１０の例では、図８で示したステップＳ２１６までの処理が終わっており、かつ、同じく図８で示したステップＳ２２３の処理が終わっていないときに、制御部１１０Ａがこの処理を実行する場合を示している。言い換えれば、図１０では、ユーザＢがチャンネル番号「４」の番組を視聴中にメッセージを投稿し、かつ、その番組をまだ視聴している状態のときに、この処理が実行される場合が示されている。
【００４４】
まず、制御部１１０Ａは、視聴管理サーバ装置２０に対して、自装置のユーザのユーザＩＤを送信して、上記のソーシャルネットワーキングサービスにおいてユーザＡの知人として登録されているユーザの番組関連情報を要求する（ステップＳ３０１）。視聴管理サーバ装置２０の制御部２１０は、送信されたユーザＩＤをＳＮＳサーバ装置４０に送信して、ユーザＡの知人として登録されているユーザのユーザＩＤ及びプロファイルを要求する（ステップＳ３０２）。ＳＮＳサーバ装置４０の制御部４１０は、送信されてきたユーザＩＤに対応付けて記憶されている他のユーザＩＤと、それらの他のユーザＩＤにより識別されるユーザのプロファイルとを、それぞれ対応付けて視聴管理サーバ装置２０に送信する（ステップＳ３０３）。
【００４５】
視聴管理サーバ装置２０の制御部２１０は、送信されてきたこれらのユーザＩＤにより識別されるユーザのうち、上述したフラグが「視聴中」となっているユーザのユーザＩＤ、プロファイル及び番組関連情報を、移動通信端末１０Ａに送信する（ステップＳ３０４）。こうして送信されてくる番組関連情報は、フラグが「視聴中」となっているユーザに対応するものであるため、必ずチャンネル番号が含まれたものとなっている。つまり、移動通信端末１０Ａの制御部１１０Ａは、ステップＳ３０１からＳ３０４の処理が行われることで、番組関連情報に含まれているチャンネル番号と、そのチャンネル番号に対応付けられているユーザＩＤ及びメッセージとを、取得することになる。また、このとき、制御部２１０は、これらのチャンネル番号、ユーザＩＤ及びメッセージを送信する送信手段として機能する。続いて、制御部１１０Ａは、チャンネル番号に割り当てられた各選択領域に、そのチャンネル番号に対応付けて取得したユーザＩＤによって識別されるユーザに固有の画像と、そのチャンネル番号に対応付けて取得したメッセージとを表示させる（ステップＳ３０５）。
【００４６】
図１１は、ステップＳ３０５において表示される画面の一例を示す図である。移動通信端末１０Ａの制御部１１０Ａは、上記ユーザに固有の画像としてそのユーザの顔画像及び名前を表示させるとともに、そのユーザのメッセージを表示させている。例えば、制御部１１０Ａは、チャンネル番号「４」に割り当てられた選択領域８３０Ａに、このチャンネル番号の番組を視聴中のユーザＢの顔の画像と、その名前を使った「Ｂさんが視聴中」という文字列と、ユーザＢが投稿したメッセージである「これ再放送？」という文字列とを表示させている。また、制御部１１０Ａは、選択領域８２０Ａには、この領域が割り当てられたチャンネル番号「２」の番組を視聴中のユーザが３人いたため、「Ｆさん他２名が視聴中」という文字列と、そのうちの１人（この例では「Ｆさん」にあたるユーザ）の顔画像を表示させている。また、制御部１１０Ａは、選択領域８１０Ａには、この領域が割り当てられたチャンネル番号「１」の番組を視聴中のユーザがいなかったため、「視聴者がいません。」という文字列を表示させている。
【００４７】
図１０に戻って説明する。ステップＳ３０５の処理の後、移動通信端末１０Ａの操作部１６０ＡがユーザＡによって操作されて、現在表示されている番組以外の番組のチャンネル番号に割り当てられた選択領域が選択されたとする。（ステップＳ３０６）。この操作に応じて、制御部１１０Ａは、各部を制御して、選択された選択領域が割り当てられているチャンネル番号の放送波で放送されている番組を、番組領域７１０Ａに表示させるための処理を行う（ステップＳ３０７）。この処理が行われた結果、番組領域７１０Ａにその番組が表示される。制御部１１０Ａが以上のとおり処理を行うことで、ユーザＡは、テレビ放送により提供される情報の他に、番組情報サーバ装置３０やＳＮＳサーバ装置４０により提供されている情報を参考にしてチャンネル番号を選択することができる。
【００４８】
移動通信端末１０Ａの制御部１１０Ａは、選択領域に表示させている画像及び文字列を、操作部１６０Ａの操作により選択できるように表示させている。そして、制御部１１０Ａは、これらの画像又は文字列が選択されると、その選択領域に表示させる情報を変更する。その例を、図１２から図１４を参照して説明する。
図１２は、ユーザのプロファイルがより詳細となるように段階的に表示される例を示す図である。図１２では、図１１の選択領域８２０Ａに表示されている「Ｆさん」にあたるユーザ（ユーザＦとする）の顔画像が操作部１６０Ａの操作により選択された場合に表示される画像の例を示している。ユーザＦのプロファイルは、図１０のステップＳ３０４で視聴管理サーバ装置２０から送信されてきて、制御部１１０Ａによって記憶部１３０に記憶されている。上記の選択がされると、制御部１１０Ａは、記憶部１３０から、ユーザＦのプロファイルに含まれているユーザＦの年齢、性別、勤務先、住所及び携帯電話機の番号を読み出して、図１２（ａ）に示すように選択領域８２０Ａに表示させる。また、制御部１１０Ａは、この選択領域８２０Ａに、選択領域を拡大して表示させるためのボタン８２１Ａを表示させる。操作部１６０Ａの操作によりこのボタン８２１Ａが選択されると、制御部１１０Ａは、まず、図１２（ｂ）に示すように選択領域８２０Ａのよりも横幅が広い選択領域８２２Ａを表示させる。そして、制御部１１０Ａは、図１２（ａ）で表示させたものの他に、ユーザＦのプロファイルに含まれているユーザＦの（出身）大学、（出身）高校、趣味、（好きな）スポーツ、（好きな）音楽、メールアドレスを記憶部１３０から読み出して表示させる。制御部１１０Ａは、このボタンを図１１に示す選択領域８１０Ａに表示させる。また、制御部１１０Ａは、選択領域を縮小させるためのボタン８２３Ａを表示させ、このボタン８２３Ａが選択されると、図１２（ａ）の表示に戻す。このように、制御部１１０Ａは、プロファイルに含まれている情報を、より詳細となるように段階的に表示させる。
【００４９】
図１３は、複数のユーザが番組を視聴している場合に、表示させるプロファイルを切り替える例を示す図である。図１３（ａ）は、図１１の選択領域８２０Ａを示しており、このボタンでは、チャンネル番号「２」の番組を視聴しているユーザが「Ｆさん」と「他２名」いることが示されている。この例では、「他２名」とはユーザＧ（「Ｇさん」）とユーザＨ（「Ｈさん」）のことであり、ユーザＦ、Ｇ、Ｈのプロファイル及びこの番組に対して投稿したメッセージが、図１０のステップＳ３０４で視聴管理サーバ装置２０から送信されて、移動通信端末１０Ａの制御部１１０Ａによって記憶部１３０に記憶されているものとする。この「他２名」という文字列が操作部１６０Ａの操作により選択されると、制御部１１０Ａは、記憶部１３０から、ユーザＧのプロファイルに含まれているユーザＧの名前の文字列（「Ｇさん」）及び顔画像と、ユーザＧがこの番組に対して投稿したメッセージである「ここ前に行った！」という文字列とを読み出し、図１３（ｂ）に示すように、それぞれをユーザＦのものに代えて選択領域８２０Ａに表示させる。さらに、制御部１１０Ａは、図１３（ｂ）で表示される「Ｇさん他２名」という文字列が操作部１６０Ａの操作により選択されると、記憶部１３０から、ユーザＨのプロファイルに含まれているユーザＨの名前の文字列（「Ｈさん」）及び顔画像と、ユーザＨがこの番組に対して投稿したメッセージである「海外行きたい。。」という文字列とを読み出し、図１３（ｃ）に示すように、それぞれをユーザＧのものに代えて選択領域８２０Ａに表示させる。このように、制御部１１０Ａは、複数のユーザのプロファイルを、切り替えて表示させる。
【００５０】
図１４は、番組情報がより詳細となるように段階的に表示される例を示す図である。図１４では、図１１の選択領域８２０Ａに表示されている「海外情報番組β」という番組名を表す文字列が操作部１６０Ａの操作により選択された場合に表示される画像の例を示している。この番組の番組情報は、図１０のステップＳ３０４で視聴管理サーバ装置２０から送信されてきて、制御部１１０Ａによって記憶部１３０に記憶されている。上記の選択がされると、制御部１１０Ａは、記憶部１３０から、この番組の番組情報に含まれている番組の概要を表す文章及び出演者の氏名を読み出して、図１４（ａ）に示すように選択領域８２０Ａに表示させる。また、制御部１１０Ａは、図１２で示したのと同様に、拡大用のボタンを選択させることで選択領域を拡大して表示し、番組の内容をより詳細に表す文章を記憶部１３０から読み出して、図１４（ｂ）に示すように表示させる。このように、制御部１１０Ａは、番組情報に含まれている内容を、より詳細となるように段階的に表示させる。
【００５１】
図１５は、移動通信端末１０の制御部１１０がプログラムを実行することで実現する機能を示すブロック図である。制御部１１０は、特定部１１１、取得部１１２、第１表示制御部１１３及び第２表示制御部１１４として機能する。特定部１１１は、図６のステップＳ１０２、１２２に示したチャンネルサーチの処理を実行し、自通信端末の位置を放送対象地域として含む放送波に割り当てられたチャンネル番号を特定する特定手段である。特定部１１１は、特定したチャンネル番号を識別する識別子を第１表示制御部１１３に供給する。取得部１１２は、図１０に示したステップＳ３０１の処理を実行し、それによって視聴管理サーバ装置２０の制御部２１０の処理（ステップＳ３０２、Ｓ３０４）と、ＳＮＳサーバ装置４０の制御部４１０の処理（ステップＳ３０３）とが実行されることで、視聴管理サーバ装置２０から、チャンネル番号の識別子と、そのチャンネル番号に対応付けられているユーザＩＤ及びメッセージとを取得する取得手段である。取得部１１２は、取得した識別子、ユーザＩＤ及びメッセージを第１表示制御部１１３に供給する。
【００５２】
第１表示制御部１１３は、表示部１７０を制御して選択領域を表示させる第１表示制御手段である。第１表示制御部１１３は、表示部１７０の表示面において、特定部１１１から供給された識別子のチャンネル番号のそれぞれに割り当てられた選択領域に、そのチャンネル番号を識別する識別画像（図７の「１ｃｈ」、「２ｃｈ」など）を表示させる。また、第１表示制御部１１３は、それとともに、取得部から供給された識別子のチャンネル番号に割り当てられた選択領域に、そのチャンネル番号に対応付けて取得部１１２により取得されたユーザＩＤによって識別されるユーザに固有の画像と、このチャンネル番号に対応付けて取得部１１２により取得されたメッセージとを表示させる。第２表示制御部１１４は、表示部１７０を制御して番組を表示させる第２表示制御手段である。第２表示制御部１１４は、ユーザの操作によりいずれかの選択領域が選択されると、その選択領域が割り当てられているチャンネル番号の放送波で放送されている番組を、表示部１７０に表示させるための処理を行い、その番組を表示部１７０に表示させる。
【００５３】
本実施形態においては、移動通信端末１０の制御部１１０が上記のとおり選択領域に様々な情報を表示させることにより、ユーザは、それらの情報を参考にして番組を選択することができる。また、制御部１１０が表示させる情報には、他のユーザの視聴状況（例えば視聴している番組のチャンネル番号やそのユーザが投稿したメッセージなど）が含まれているため、ユーザは、それらの他のユーザとのコミュニケーションの材料になりやすい番組を選択することができる。一方で、制御部１１０は、他のユーザが視聴しているか否かに関わらず、移動通信端末１０のチューナ部１５０が受信可能な全てのチャンネル番号の番組を表示させるための操作子として機能する選択領域を表示させる。これにより、ユーザは、他のユーザによってどの番組が視聴されているかということを知らされるとともに、他のユーザが視聴してないチャンネル番号の番組であっても、同様の操作、すなわち選択領域を選択するという簡易な操作をすることで、表示させることができる。
【００５４】
また、上述したとおり、制御部１１０が各ユーザのプロファイル及び番組の番組情報をより詳細となるように段階的に表示させることで、ユーザは、全体の内容（視聴可能な番組及びそのチャンネル番号等）を確認しつつ、個々の詳しい内容（各ユーザのプロファイル及び番組の内容等）を少ない操作で見ることができる。これにより、ユーザは、このように段階的に表示させない場合に比べて、知りたい情報に早くたどり着くことができる。また、同じ番組を視聴しているユーザが複数いる場合でも、移動通信端末１０では、それら全てのユーザのプロファイル及びメッセージを表示させることができるため、ユーザは、それら全てのユーザの視聴状況及びプロファイルを参考にして番組を選択することができる。
【００５５】
［変形例］
上述した実施形態は、本発明の実施の一例に過ぎず、以下のように変形させてもよい。また、以下に示す各変形例は、必要に応じて組み合わせて実施してもよい。
【００５６】
（変形例１）
移動通信端末１０の制御部１１０の第１表示制御部１１３は、選択領域が割り当てられているチャンネル番号の番組（つまり選択領域に対応する番組）の他のユーザによる視聴状況、又はその番組を視聴しているユーザからのメッセージの投稿状況に応じて異なる表示態様で、その選択領域を表示させてもよい。この場合、第１表示制御部１１３は、図１０のステップＳ３０４で取得したチャンネル番号に対応付けられているユーザＩＤの数又はメッセージの数に基づいて、選択領域のサイズ、レイアウト、色又は装飾等の態様を変化させて表示させる。具体的には、制御部１１０は、上記ユーザＩＤの数又はメッセージの数が多いほど、その番組を放送しているチャンネル番号の選択領域のサイズを大きくし、表示部１７０の縦方向における上側の位置にレイアウトし、他の選択領域との色相の違いを大きくし、又は装飾を増やす等の変更を行う。
【００５７】
図１６は、本変形例において表示部１７０に表示される画面の一例を示す図である。制御部１１０の第１表示制御部１１３は、図１１に示す選択領域８１０Ａ、８２０Ａ、８３０Ａ、８４０Ａを、各々の領域に対応する番組を視聴しているユーザの数が多いほど、サイズを大きくし、かつ、上側の位置にレイアウトするようにして表示させている。例えば、第１表示制御部１１３は、チャンネル番号「２」の番組を視聴するユーザが３人で最も多いので、このチャンネル番号に割り当てられた選択領域８２０Ａ2を縦方向の一番上側にレイアウトし、横方向の長さが画面一杯となるように表示させている。第１表示制御部１１３は、この選択領域８２０Ａ2に、３人のユーザのそれぞれの名前、画像及びメッセージを表示させている。また、第１表示制御部１１３は、チャンネル番号「１」の番組を視聴するユーザは０人で最も少なく、チャンネル番号「４」、「５」の番組を視聴するユーザがそれぞれ１人ずつなので、選択領域８２０Ａ2の下に、これらのチャンネル番号に割り当てられた選択領域８１０Ａ2、８３０Ａ2、８４０Ａ2を、横方向の長さの比が１：２：２となるように表示させている。以上のように制御部１１０の第１表示制御部１１３が選択領域を表示させることで、ユーザは、どのチャンネル番号の番組が多くのユーザにより視聴されているのかを判断しやすくなる。また、制御部１１０の第１表示制御部１１３が、ユーザの人数に代えてメッセージの投稿数に基づいて選択領域を上記のように表示させると、ユーザは、どのチャンネル番号の番組に対してより多くのメッセージが投稿されているのかを判断しやすくなる。
【００５８】
（変形例２）
移動通信端末１０の制御部１１０の第１表示制御部１１３は、他の移動通信端末１０において表示されている番組であれば、自端末にて表示させることができない、つまり他の移動通信端末１０と自端末とが遠く離れているために、自端末のアンテナ１５１により放送波が受信できない番組の選択領域を表示させてもよい。また、この選択領域が選択された場合は、制御部１１０の第２表示制御部１１４は、ネットワーク６０経由でＷＥＢサイトや動画などを取得して番組領域７１０に表示させるようにしてもよい。例えば、制御部１１０は、図１５に破線で示した情報取得部１１５を有し、この情報取得部１１５は、図１０に示したステップＳ３０１からＳ３０４までの処理により取得したチャンネル番号が、図６に示したステップＳ１０２、Ｓ１２２のチャンネルサーチの処理により特定したチャンネル番号と一致しない場合に、そのチャンネル番号が割り当てられている放送波で放送される番組に関連する情報をネットワーク６０経由で取得する。情報取得部１１５は、取得した情報を第２表示制御部１１４に供給する。そして、第２表示制御部１１４は、上記のとおり放送波が受信できない番組に代えて情報取得部１１５により取得された情報を表示部１７０に表示させるための処理を行い、その情報を表示部１７０に表示させる。
【００５９】
図１７は、本変形例において表示部１７０に表示される画面の一例を示す図である。図１７では、制御部１１０の第１表示制御部１１３は、ボタン領域８００を２つの区画８０１、８０２に分けて、それぞれ「関東エリア」、「東海エリア」という文字列を表示させている。この例では、移動通信端末１０が所在する地点は、関東エリアに含まれているものとする。第１表示制御部１１３は、区画８０１に、受信可能な放送波のチャンネル番号に割り当てられた選択領域を表示させている。また、第１表示制御部１１３は、区画８０２に、東海エリアに所在している他のユーザが視聴している番組のチャンネル番号「４」、「３１」に割り当てられた選択領域を表示している。このうちのチャンネル番号「４」の番組は、関東エリアでも視聴可能であり、チャンネル番号「３１」の番組は、関東エリアでは視聴できない番組である。制御部１１０の第２表示制御部１１４は、移動通信端末１０において表示することができる番組のチャンネル番号に割り当てられた選択領域が選択された場合は、その番組を番組領域７１０に表示させる。この例では、移動通信端末１０は、チャンネル番号「３１」以外のチャンネル番号の番組を表示することができる。
【００６０】
一方、移動通信端末１０において表示することができないチャンネル番号（この場合「３１」）に割り当てられた選択領域が選択された場合は、制御部１１０の情報取得部１１５がそのチャンネル番号の番組に関連する情報を提供しているＷＥＢサイトからネットワーク６０経由でその情報を取得して、この取得された情報を制御部１１０の第２表示制御部１１４が表示部１７０に表示させる。図１７では、第２表示制御部１１４は、チャンネル番号「３１」で放送されている「科学情報番組η」のホームページで提供されている情報を表示部１７０に表示させている。このとき情報取得部１１５が取得して第２表示制御部１１４が表示させる情報は、その番組に関連するものであればなんでもよく、例えば、検索サイトでこの番組のタイトルを検索して最初に表示されるＷＥＢサイトであってもよいし、他のユーザがキャプチャしたその番組の画像や、その番組に関連する情報として他のユーザがメッセージに貼り付けたリンクなどであってもよい。これらの画像やリンクの場合、視聴管理サーバ装置２０の制御部２１０は、番組関連情報として、図８に示したステップＳ２０１、Ｓ２０５で移動通信端末１０からチャンネル番号情報とともに送信されてくる番組の画像や、ステップＳ２０７で送信されるメッセージに貼り付けられているリンクを記憶部２３０に記憶させる。情報取得部１１５は、番組関連情報に含まれるこれらの画像又はリンクを取得し、これらを制御部１１０の第１表示制御部１１３及び第２表示制御部１１４に供給する。第１表示制御部１１３は、情報取得部１１５から供給されたこれらの画像又はリンクを選択領域に表示させ、ユーザの操作によりこれらの画像又はリンクが選択されると、第２表示制御部１１４が、その画像又はリンク先で提供されている情報を表示部１７０に表示させる。本変形例によれば、ユーザは、他のユーザが視聴している番組であれば、移動通信端末１０が表示できない番組であっても、他のユーザがその番組を視聴していることと、その番組に関連する情報とを知ることができる。
【００６１】
（変形例３）
移動通信端末１０の制御部１１０の第１表示制御部１１３は、他のユーザのユーザＩＤ及びそのユーザが投稿したメッセージとともに、そのユーザの位置を表す位置情報を取得し、自端末の位置とその位置情報が表す位置との距離の大きさに応じた表示態様で、前述したユーザに固有の画像（例えばユーザの顔画像）を表示させてもよい。例えば、第１表示制御部１１３は、その距離が小さいほど、つまり、近くにいるユーザほど、顔画像を大きくして表示させるといった具合である。この場合、移動通信端末１０は、図５において破線で示した測位部１８０と、図１５において破線で示した位置取得部１１６とを備える。測位部１８０は、ＧＰＳ（Global Positioning System）の技術を用いて移動通信端末１０の位置を計測する測位手段であり、計測した位置を表す位置情報を制御部１１０に供給する。また、位置取得部１１６は、自通信端末以外の移動通信端末１０の位置を表す位置情報を取得する位置取得手段であり、取得した位置情報を制御部１１０の第１表示制御部１１３に供給する。以下では、移動通信端末１０Ａと他の移動通信端末１０を例にとって説明する。他の移動通信端末１０の制御部１１０は、図８に示すステップＳ２０１やＳ２０５において、チャンネル番号とともに、各々の測位部１８０から供給された位置情報を送信する。視聴管理サーバ装置２０の制御部２１０は、図１０に示すステップＳ３０４において、上述したフラグが「視聴中」となっているユーザのユーザＩＤ、プロファイル及び番組関連情報に加えて、そのユーザの移動通信端末１０の位置情報を送信する。移動通信端末１０Ａの制御部１１０Ａの位置取得部１１６Ａは、ステップＳ３０４において送信されてくる他の移動通信端末１０の位置情報を取得する。制御部１１０Ａの第１表示制御部１１３Ａは、図１０に示すステップＳ３０５において、選択領域に顔画像を表示するユーザの移動通信端末１０の位置情報が表す位置と、測位部１８０Ａから供給される位置情報が表す自端末の位置とを比較して、自端末からの距離が小さい（つまり近くにいる）ユーザほど、大きな顔画像を表示させる。
【００６２】
図１８は、本変形例において表示部１７０に表示される画面の一例を示す図である。この図では、移動通信端末１０Ａの制御部１１０Ａの第１表示制御部１１３Ａが、図１１に示した選択領域８３０Ａ、８４０Ａ、８５０Ａ、８６０Ａを、上述した位置の関係に応じて顔画像の大きさを変えて表示させたものが示されている。この例では、第１表示制御部１１３Ａは、「Ｄさん」を最も大きく表示させ、「Ｂさん」、「Ｃさん」、「Ｅさん」の順で小さくなるように各顔画像を表示させている。第１表示制御部１１３Ａは、「Ｄさん」の顔画像が元の番組名の文字列を表示させていた位置に重なるため、この文字列をこの顔画像と重ならない位置にずらして表示させている。これにより、移動通信端末１０Ａを利用しているユーザＡは、他のユーザのうち誰が近くにいて誰が遠くにいるのかを知ることができる。なお、第１表示制御部１１３Ａは、顔画像に限らず、番組名又はメッセージ等の選択領域に表示させる画像、若しくは選択領域そのものを、上記距離に応じて異なる態様で表示させてもよい。また、第１表示制御部１１３Ａは、これらを表示させる大きさを変化させるだけでなく、色、形状、配置又は装飾等、様々な態様を変化させてから表示させてもよい。また、第１表示制御部１１３Ａは、この顔画像とともに、互いの距離を表す数字やメモリを表示させることで、ユーザＡに、各ユーザと自身との距離を知らせるようにしてもよい。
【００６３】
また、移動通信端末１０Ａの制御部１１０Ａの第１表示制御部１１３Ａは、ユーザＡ及び他のユーザが所在する位置を地図上で表示させてもよい。
図１９は、各ユーザの位置が表示された地図を示す図である。この場合、移動通信端末１０Ａの記憶部１３０Ａは、地図情報を記憶しておく。続いて、第１表示制御部１１３Ａは、例えば、図１８に示す画面でいずれかのユーザの顔画像が選択された場合に、この地図情報を参照して、測位部１８０から供給された位置情報により表される位置を中心とした地図をボタン領域８００Ａに表示させる。そして、第１表示制御部１１３Ａは、表示させた地図において、他のユーザのユーザＩＤに対応付けられている位置情報が表す位置に、各ユーザの顔画像を表示させる。これにより、ユーザＡは、他のユーザが所在する位置の自身からの距離及び方向を知ることができる。
【００６４】
（変形例４）
移動通信端末１０の制御部１１０は、移動通信端末１０の操作部１６０へのユーザの操作により選択領域が選択された場合に、その操作の方法によって、その選択領域の表示モードを変えてもよい。例えば、制御部１１０は、操作部１６０が長押しでない操作がなされたなら、第２表示制御部１１４によりその選択領域に対応する番組を番組領域７１０に表示させるだけにする（リモコン表示モード）。一方、制御部１１０は、操作部１６０に対して長押しがなされたなら、選択された選択領域に対応する番組を第２表示制御部１１４により番組領域７１０に表示させるほか、第１表示制御部１１３によって、選択された選択領域を拡大したものを複数の選択領域に代えて表示させ、その拡大した選択領域に、表示されている番組を視聴しているユーザのユーザＩＤ及びそのユーザから投稿されたメッセージのみを表示させる（特定チャンネル番号表示モード）。ここにおいて、長押しとは、予め定められた時間よりも長く操作部１６０が操作され続けることをいう。例えば、操作子がキーであれば、その時間よりも長くキーが押され続けることであり、操作子がタッチセンサであれば、その時間よりも長くタッチセンサに指が触れられ続けることである。或いは、制御部１１０は、さらに別の操作がなされたなら、その番組を視聴しているユーザの位置を地図上に示した画像（例えば図１９に示す画像）を第１表示制御部１１３により表示させる（マップ表示モード）。このように、制御部１１０は、ユーザの操作によりいずれかの選択領域が選択されると、その操作の操作方法に応じて異なる表示態様で、選択領域、ユーザに固有の画像（顔画像やユーザの位置を地図上に示した画像など）又はそのユーザのメッセージを表示させる。これにより、ユーザは、このような表示モードの切替をしない場合に比べて、より少ない操作で、自身が表示させたい情報（より詳しい情報又は必要なものに絞り込んだ情報等）を表示させることができる。
【００６５】
（変形例５）
移動通信端末１０の制御部１１０の第２表示制御部１１４は、上述した実施形態では、自通信端末に備えられた表示部１７０に番組を表示させたが、自通信端末とは別の表示装置であるテレビ受像機に表示させてもよい。この場合、移動通信端末１０は、ＩｒＤＡ（Infrared Data Association）などの通信規格に準拠した通信手段で信号を送信するためのインターフェースを有する図５において破線で示した信号送信部１９０を備える。第２表示制御部１１４は、信号送信部１９０を制御して、ユーザにより選択された選択領域に割り当てられたチャンネル番号の番組（つまり選択されたチャンネル番号の番組）を表示することを要求する信号を送信させる。テレビ受像機は、この信号を受信すると、要求されたとおりチャンネル番号の番組を表示する。本変形例によれば、移動通信端末１０の制御部１１０は、移動通信端末１０とは物理的に離れている表示装置であるテレビ受像機に対して選択されたチャンネル番号の番組を表示させることができる。なお、この場合、移動通信端末は、上述した実施形態のように音声入出力部１４０を備えていなくともよい。移動通信端末は、上述した実施形態のような携帯電話機等ではなく、テレビ受像器用のリモコンとして用いられる通信端末であればどのようなものであってもよい。
【００６６】
（変形例６）
移動通信端末１０の制御部１１０は、ステップＳ３０４で視聴管理サーバ装置２０から送信されてきたユーザＩＤにより識別される他のユーザが利用する移動通信端末１０に対して、現在表示させている番組のチャンネル番号を、自端末の識別子に対応付けられているユーザＩＤとともにこのユーザＩＤに対応付けて送信するようにしてもよい。この場合、例えば、視聴管理サーバ装置２０の制御部２１０は、図１０に示すステップＳ３０４において、他の情報とともに、他のユーザのユーザＩＤに対応付けて、それらのユーザが利用する移動通信端末１０へデータを送信する際の宛先となる情報（例えばＩＰアドレス）を送信する。移動通信端末１０の制御部１１０は、操作部１６０の操作によりチャンネル番号が選択されると、そのチャンネル番号を、送信されてきた宛先となる情報を用いて、上記の各ユーザの移動通信端末１０へ送信する。なお、制御部１１０は、チャンネル番号を他の移動通信端末１０へ直接送信する代わりに、この送信の実行を視聴管理サーバ装置２０に要求してもよい。また、制御部１１０は、チャンネル番号の他に、ＳＮＳサイトへ投稿するメッセージを他の移動通信端末１０へ送信してもよい。本変形例によれば、移動通信端末１０の制御部１１０がこれらの情報を他の移動通信端末１０へ送信しない場合に比べて、他の移動通信端末１０において選択領域に表示されている情報をより早いタイミングで更新させることができ、ユーザは、他のユーザに自分の視聴状況をより早いタイミングで伝えることができる。
【００６７】
（変形例７）
上述した実施形態では、番組情報及びメッセージは、視聴管理サーバ装置２０によって一度記憶されてから移動通信端末１０に送信されたが、番組情報サーバ装置３０及びＳＮＳサーバ装置４０から直接移動通信端末１０に送信されてもよい。この場合、番組情報サーバ装置３０の制御部３１０は、図８のステップＳ２１２において、番組情報を移動通信端末１０Ｂに送信し、ＳＮＳサーバ装置４０の制御部４１０は、図８のステップＳ２１５において、メッセージを移動通信端末１０Ｂに送信する。これにより、移動通信端末１０の制御部１１０は、番組情報及びメッセージが上記のように直接移動通信端末１０に送信されない場合に比べてより早いタイミングで、これらの情報を選択領域に表示させることができる。
また、上述した実施形態では、視聴管理サーバ装置２０、番組情報サーバ装置３０及びＳＮＳサーバ装置４０は、それぞれ異なる筐体を有し、ネットワークで相互に接続された別々の装置であったが、３台又は２台の装置を同一の筐体に納めた１台の装置としてもよい。言い換えれば、これらのサーバ装置によりそれぞれ提供されている機能を１台のサーバ装置がまとめて提供するようにしてもよい。これにより、図８に示すステップＳ２１１又はＳ２１４の通信に要する時間が装置内での信号の伝達に要する時間に変わるため、移動通信端末１０の制御部１１０は、各サーバ装置が別々の装置である場合に比べてより早いタイミングで、これらの情報を選択領域に表示させることができる。
【００６８】
（変形例８）
視聴管理サーバ装置２０の制御部２１０は、ステップＳ２１１、Ｓ２１４の処理を、様々な間隔で実行してもよい。制御部２１０は、この間隔が短いほど、番組情報サーバ装置３０及びＳＮＳサーバ装置４０からより新しい番組情報及びメッセージをそれぞれ送信させることができるようになる。その結果、移動通信端末１０の制御部１１０は、より新しいこれらの情報を、視聴管理サーバ装置２０に送信させて選択領域に表示させることができるようになる。
また、制御部２１０は、ステップＳ２１１の処理を、現在放送されている番組が終了して次の番組が開始される時刻になったときに行ってもよい。また、制御部２１０は、現在放送されている番組の番組情報だけでなく、その後に放送される予め定められた時間分の番組の番組情報もともに送信させてもよい。これにより、制御部２１０がステップＳ２１１の処理を行う回数が減り、制御部２１０及びネットワーク６０の負荷を減らすことができる。
【００６９】
（変形例９）
上述した実施形態では、ＳＮＳサーバ装置４０には、あるユーザの知人として他のユーザが登録されていたが、これに限らず、例えば、同郷、同窓又は趣味が共通するなど、様々な関係の他のユーザが登録されていてもよいし、これにより、複数のグループができていてもよい。このように複数のグループができている場合、移動通信端末１０の記憶部１３０が、例えばグループ名やグループＩＤなど、ＳＮＳサーバ装置４０においてこのグループを識別可能な情報（以下「グループ識別情報」という。）を予め記憶しおき、移動通信端末１０の制御部１１０が、このグループ識別情報を表示させることで操作部１６０の操作により選択できるようにしておく。そして、操作部１６０の操作によりグループが選択されると、移動通信端末１０の制御部１１０は、図１０に示すステップＳ３０１において、自装置に対応付けられているユーザＩＤとともに、選択されたグループのグループ識別情報を視聴管理サーバ装置２０に送信する。視聴管理サーバ装置２０の制御部２１０は、ステップＳ３０２においてこのグループ識別情報をユーザＩＤとともにＳＮＳサーバ装置４０に送信し、ＳＮＳサーバ装置４０の制御部４１０は、ステップＳ３０３においてこのグループ識別情報により識別されるグループに属するユーザのユーザＩＤとプロファイルとを送信する。これにより、ユーザは、よく視聴されている番組の傾向を、自身が属するグループ毎に知ることができる。
【００７０】
（変形例１０）
移動通信端末１０の制御部１１０の特定部１１１は、上述した実施形態では、チューナ部１５０により受信可能な周波数の放送波を特定することにより、受信可能なチャンネル番号を特定したが、これに限らず他の方法で特定してもよい。例えば、特定部１１１は、図５に示した測位部１８０から供給される位置情報が表す位置を放送対象地域として含むチャンネル番号を特定してもよい。上述したとおり、各放送局５０は放送対象地域において受信できるように放送波を送信しているため、移動通信端末１０が所在する地点を含む放送対象地域が特定されれば、チューナ部１５０によって受信されるべきチャンネル番号が特定されることになる。この場合、移動通信端末１０の記憶部１３０には、各チャンネル番号とその放送対象地域とを対応付けて記憶させておき、特定部１１１は、上記位置情報が表す位置を含んでいる放送対象地域に対応付けて記憶されているチャンネル番号を、上記受信可能なチャンネル番号として特定する。周囲の地形等の関係で、放送対象地域に所在していても放送波が受信しにくかったり受信できなかったりすることがあるが、本変形例によれば、測位部１８０により位置が計測されていれば、放送波の受信状態に関わらずチャンネル番号を特定することができる。
【００７１】
（変形例１１）
チューナ部１５０は、上述した実施形態では、放送波を無線通信により受信したが、例えばケーブルテレビ局などの放送局から有線通信で送信される放送波を受信してもよい。これらの放送局は、上述した各放送局５０が放送する番組を、それらの放送局５０に対して定められた放送対象地域に所在している通信端末に対して送信している。この場合、チューナ部１５０は、有線放送局と接続するためのケーブルを差し込むポートなどのインターフェースを有する。そして、このケーブルを介して放送波を受信する際、例えば、移動通信端末１０の制御部１１０が、上記測位部１８０が計測した位置をこのケーブルを介して有線放送局に通知し、通知された位置を放送対象地域に含む放送局５０の放送波を有線放送局が送信する。これにより、チューナ部１５０は、周囲の地形等の影響を受けずに放送波を受信することができる。
【００７２】
（変形例１２）
測位部１８０は、上述した変形例では、ＧＰＳの技術を用いて移動通信端末１０の位置を計測したが、これに限らず、他の技術を用いて位置を計測してもよい。例えば、測位部１８０が行う測位の方式は、ネットワーク６０に含まれる移動通信網の基地局の位置情報に基づいて位置を計測する、いわゆる基地局測位方式であってもよい。
【００７３】
（変形例１３）
視聴管理システム１においては、上述した実施形態では、各放送波に割り当てられたチャンネルを識別する情報（チャンネル識別情報という。）として、チャンネル番号が用いられたが、これに限らず、例えば、各放送波を送信する放送局５０の社名、略称又は通称等が用いられてもよい。
【００７４】
（変形例１４）
本発明は、移動通信端末１０のような通信端末、視聴管理サーバ装置２０のような記憶装置又はこれらを含む視聴管理システム１のような通信システムとしても把握されるものである。また、これらのみならず、これらを実現するための方法や、コンピュータに図１５に示した機能を実現させるためのプログラムとしても把握されるものである。かかるプログラムは、これを記憶させた光ディスク等の記録媒体の形態で提供されたり、インターネット等のネットワークを介して、コンピュータにダウンロードさせ、これをインストールして利用可能にするなどの形態でも提供されたりするものであってもよい。
【符号の説明】
【００７５】
１…視聴管理システム、１０…移動通信端末、２０…視聴管理サーバ装置、３０…番組情報サーバ装置、４０…ＳＮＳサーバ装置、５０…放送局、１１０、２１０、３１０、４１０…制御部、１２０、２２０、３２０、４２０…通信部、１３０、２３０、３３０、４３０…記憶部、１４０…音声入出力部、１５０…チューナ部、１６０…操作部、１７０…表示部、１８０…測位部、１９０…信号送信部
【図１】
0005734142.tif 000002
【図２】
0005734142.tif 000003
【図３】
0005734142.tif 000004
【図４】
0005734142.tif 000005
【図５】
0005734142.tif 000006
【図６】
0005734142.tif 000007
【図７】
0005734142.tif 000008
【図８】
0005734142.tif 000009
【図９】
0005734142.tif 000010
【図１０】
0005734142.tif 000011
【図１１】
0005734142.tif 000012
【図１２】
0005734142.tif 000013
【図１３】
0005734142.tif 000014
【図１４】
0005734142.tif 000015
【図１５】
0005734142.tif 000016
【図１６】
0005734142.tif 000017
【図１７】
0005734142.tif 000018
【図１８】
0005734142.tif 000019
【図１９】
0005734142.tif 000020